(57)【要約】【課題】厚さの異なる開閉体に取り付けできる操作部材取付用座とする。【解決手段】一側台座４の係止受面４５に他側台座５の連結柱５１の係止鍔５３を係止して一側台座４の台座取付面４ａを開閉体の一側面１０に接し、他側台座４の台座取付面５ａを開閉体の他側面１１に接して取り付けるようにし、前記一側台座４は台座取付面４ａからの距離が異なる複数パターンの係止受面４５を有し、厚さの異なる開閉体に取り付けできるようにする。【選択図】図２
2014201989.tif 000002
【特許請求の範囲】
【請求項１】
操作部材の軸部が挿通する中心孔と、係止受面を備えた複数の連結用孔を有した一側台座と、
操作部材の軸部が挿通する中心孔と、前記係止受面に係止する係止鍔を先端部に備えた複数の連結柱を有した他側台座を備え、
前記各連結柱を各連結用孔に挿通し、一側台座を回転して各係止鍔を各係止受面に係止することで一側台座の台座取付面を開閉体の一側面に接し、かつ他側台座の台座取付面を開閉体の他側面に接することで一側台座と他側台座を開閉体に取り付けるようにした開閉体の操作部材取付用座であって、
前記一側台座には、前記他側台座を連結する際に各連結柱が挿通される各連結用孔を有する係止受面が、台座取付面から異なる距離となるように複数パターンで形成されていることを特徴とする開閉体の操作部材取付用座。
【請求項２】
前記連結柱は、基部柱の先端にねじを螺合し、そのねじの頭部を係止鍔とした請求項１記載の開閉体の操作部材取付用座。
【請求項３】
前記一側台座は、中心孔である内側筒体と、その外周面に設けられ、前記係止受面を備えた連結用孔を有した複数のプレートと、この各プレートの外周面に渡って一体に設けた外側筒体を備え、
前記複数のプレートは、前記他側台座を連結する際に各連結柱が挿通される各連結用孔を有する各プレートが、外側筒体及び内側筒体の一端面から異なる位置となるように複数パターンで形成されている請求項１又は２記載の開閉体の操作部材取付用座。
【発明の詳細な説明】
【技術分野】
【０００１】
本発明は、扉、障子などの開閉体に、ハンドル、引手、錠などの操作部材を取り付ける操作部材取付用座に関する。
【背景技術】
【０００２】
扉にハンドルを取り付けるハンドル取付用座が特許文献１に開示されている。
このハンドル取付用座は、内側ハンドルの軸部が挿通する中心孔と、長孔状の連結孔部分を有する内側台座と、外側ハンドルの軸部が挿通する中心孔と、連結柱を有する外側台座を備え、扉の内壁面に内側台座を接し、扉の外壁面側から外側台座の連結柱を連結孔部分に挿入すると共に、外側台座を回転して連結柱の係止鍔を連結孔部分に係止することで内側台座と外側台座を連結して扉の内壁面と外壁面を挟持して取り付けている。
【先行技術文献】
【特許文献】
【０００３】
【特許文献１】特開２００９−２７０３９０号公報
【発明の概要】
【発明が解決しようとする課題】
【０００４】
前述したハンドル取付用座であれば、内側台座と外側台座をねじを用いずに連結して扉に取り付けできるが、扉の厚さが異なる場合には連結柱の長さが異なる外側台座を必要とするので、厚さの異なる複数の扉に対応するには、連結柱の長さが異なる複数の外側台座を準備しなければならず、コスト高となる。
【０００５】
本発明の目的は、一側台座と他側台座をねじを用いずに開閉体に取り付けできると共に、厚さの異なる開閉体に取り付けできるようにした開閉体の操作部材取付用座とすることである。
【課題を解決するための手段】
【０００６】
本発明は、操作部材の軸部が挿通する中心孔と、係止受面を備えた複数の連結用孔を有した一側台座と、
操作部材の軸部が挿通する中心孔と、前記係止受面に係止する係止鍔を先端部に備えた複数の連結柱を有した他側台座を備え、
前記各連結柱を各連結用孔に挿通し、一側台座を回転して各係止鍔を各係止受面に係止することで一側台座の台座取付面を開閉体の一側面に接し、かつ他側台座の台座取付面を開閉体の他側面に接することで一側台座と他側台座を開閉体に取り付けるようにした開閉体の操作部材取付用座であって、
前記一側台座には、前記他側台座を連結する際に各連結柱が挿通される各連結用孔を有する係止受面が、台座取付面から異なる距離となるように複数パターンで形成されていることを特徴とする開閉体の操作部材取付用座である。
【０００７】
本発明の開閉体の操作部材取付用座は、前記連結柱は、基部柱の先端にねじを螺合し、そのねじの頭部を係止鍔とすることができる。
このようにすれば、ねじを基部柱に締め付け、弛めることで係止鍔の台座取付面からの距離が変わるので、厚さが微少に異なる開閉体に取り付けできる。
しかも、経年変化などで係止鍔と係止受面との間に隙間が生じた場合にはねじを締め付けることで係止鍔を係止受面に押しつけて一側台座、他側台座のガタつきを防止できる。
【０００８】
本発明の開閉体の操作部材取付用座は、前記一側台座は、中心孔である内側筒体と、その外周面に設けられ、前記係止受面を備えた連結用孔を有した複数のプレートと、この各プレートの外周面に渡って一体に設けた外側筒体を備え、
前記複数のプレートは、前記他側台座を連結する際に各連結柱が挿通される各連結用孔を有する各プレートが、外側筒体及び内側筒体の一端面から異なる位置となるように複数パターンで形成することができる。
このようにすれば、一側台座を軽量とすることが可能である。
【発明の効果】
【０００９】
本発明によれば、一側台座の各係止受面に他側台座の各連結柱の係止鍔をそれぞれ係止して連結することで、一側台座と他側台座を開閉体に取り付けできるから、一側台座と他側台座をねじを用いずに開閉体に取り付けできる。
また、一側台座は複数パターンの複数の連結用孔を有し、各パターンの各連結用孔の係止受面は台座取付面からの距離が異なるので、厚さの異なる開閉体に取り付けることができる。
【図面の簡単な説明】
【００１０】
【図１】本発明の操作部材取付用座でハンドルを扉に取り付けた状態の側面図である。
【図２】操作部材取付用座の分解斜視図である。
【図３】一側台座の正面図である。
【図４】図３のＡ−Ａ断面図である。
【図５】図３のＣ−Ｃ断面図である。
【図６】図３のＢ−Ｂ断面図である。
【図７】サムターンを取り付けた状態の側面図である。
【発明を実施するための形態】
【００１１】
図１に示すように、開閉体である扉１に操作部材であるハンドル２を取り付ける開閉体の操作部材取付用座３は、一側台座４と他側台座５を備えている。
一側台座４は図１及び図２に示すように、一側ハンドル２０の軸部２１が挿通する中心孔４０と、この中心孔４０よりも外周側に設けた複数パターンの複数の連結用孔４１、例えば３つのパターンの一対の連結用孔４１と、この各連結用孔４１よりも外周側に設けた外周壁部４２を有している。
他側台座５は図１及び図２に示すように、他側ハンドル２２の軸部２３が挿通する中心孔５０と、この中心孔５０よりも外周側に設けた複数の連結柱５１、例えば一対の連結柱５１と、この各連結柱５１よりも外周側に設けた外周壁部５２を有している。
【００１２】
他側台座５の連結柱５１は、先端部に係止鍔５３を有している。
例えば、連結柱５１は基部柱５４と、この基部柱５４の先端に設けた小径部５５と、この小径部５５の先端に設けた係止鍔５３を有している。
一側台座４の連結用孔４１は、連結柱５１の係止鍔５３が挿通する係止鍔挿通部である大径孔４３と、この係止鍔挿通部である大径孔４３と連続し連結柱５１（小径部５５）が挿通するが係止鍔５３は挿通しない連結柱挿通部である小径孔４４とで、中心孔４０の中心を中心とする円弧形状、例えば、大径孔４３の中心と小径孔４４の中心が中心孔４０の中心を中心とする円弧軌跡上に位置する周方向に向かうほぼだるま形状である。
そして、小径孔４４の周縁部における台座取付面４ａと反対側の面が係止鍔５３が係止する係止受面４５である。
【００１３】
操作部材取付用座３は次のようにして扉１に取り付ける。
一側台座４の台座取付面４ａを扉１の一側面１０に接し、他側台座５の複数の連結柱５１を扉１の他側方から、その扉１の孔に挿入し、係止鍔５３を一側台座４の１つのパターンの複数の連結用孔４１の大径孔４３を貫通して突出する。
この状態で一側台座４を回転して小径部５５を小径孔４４に挿通することで、係止鍔５３を係止受面４５に係止することで、一側台座４と他側台座５が連結され、一側台座４の台座取付面４ａが扉１の一側面１０に接し、他側台座５の台座取付面５ａが扉１の他側面１１に接して扉１を挟持して取り付けられる。
【００１４】
このようであるから、一側台座４と他側台座５をねじを用いずに連結して扉１に取り付けできるから、操作部材取付用座３を扉１に簡単に取り付けできる。
【００１５】
前記異なるパターンの複数の連結用孔４１の係止受面４５の一側台座４の台座取付面４ａからの距離はそれぞれ異なる。
例えば、図３に示すように中心孔４０の中心に対して径方向の相対向した一対の第１連結用孔４１Ａ、第２連結用孔４１Ｂ、第３連結用孔４１Ｃの３つのパターンの連結用孔４１を有している。
【００１６】
図４に示すように、第１連結用孔４１Ａの第１の係止受面４５Ａの一側台座４の台座取付面４ａからの距離Ｓ１が最も短く、第１の係止受面４５Ａが最も台座取付面４ａ寄りである。
図５に示すように、第３連結用孔４１Ｃの第３の係止受面４５Ｃの一側台座４の台座取付面４ａからの距離Ｓ２が最も長く（Ｓ２＞Ｓ１）、第３の係止受面４５Ｃが最も台座取付面４ａから遠く離隔している。
図６に示すように、第２連結用孔４１Ｂの第２の係止受面４５Ｂの一側台座４の台座取付面４ａからの距離Ｓ３が中間の位置（Ｓ１＜Ｓ３＜Ｓ２）で、第２の係止受面４５Ｂは第１の係止受面４５Ａと第２の係止受面４５Ｃとの中間に位置する。
【００１７】
このようであるから、３種類の厚さの扉１に取り付けできる。
例えば、厚さＨの扉、厚さＨ＋（Ｓ２−Ｓ１）、厚さＨ＋（Ｓ３−Ｓ１）の３種類の厚さの扉１に取り付けできる。
【００１８】
次に、一側台座４と他側台座５の具体形状を説明する。
一側台座４は、内側筒体４６と、この内側筒体４６の外周面に一体に設け複数パターンの複数のプレート４７、例えば径方向に対向した一対の第１・第２・第３プレート４７Ａ，４７Ｂ，４７Ｃと、この各複数のプレート４７の外周面に一体に設けた外側筒体４８を備え、その各プレート４７に連結用孔４１が形成されている。
内側筒体４６が中心孔４０を形成し、外側筒体４８が外周壁部４２を形成している。
プレート４７における小径孔４４の周縁に沿って厚肉部４７ａを形成して係止受面４５としてある。
内側筒体４６の一端面と外側筒体４８の一端面が面一で、台座取付面４ａとしてある。
【００１９】
図４、図５、図６に示すように一対の第１・第２・第３プレート４７Ａ，４７Ｂ，４７Ｃの台座取付面４ａからの位置がそれぞれ異なり、一対の第１・第２・第３の係止受面４５Ａ，４５Ｂ，４５Ｃの台座取付面４ａからの距離Ｓ１，Ｓ３，Ｓ２がそれぞれ異なるようにしてある。
例えば、図４に示すように、第１プレート４７Ａが最も台座取付面４ａに近く、第１の係止受面４５Ａが最も台座取付面４ａに近い。
図５に示すように、第３プレート４７Ｃが最も台座取付面４ａから遠く、第３の係止受面４５Ｃが台座取付面４ａから最も遠い。
図６に示すように、第２プレート４７Ｂが第１プレート４７Ａと第３プレート４５Ｃとの中間に位置し、第２の係止受面４５Ｂが第１の係止受面４５Ａと第３の係止受面４５Ｃとの中間に位置する。
【００２０】
このように、第１・第２・第３プレート４７Ａ，４７Ｂ，４７Ｃの台座取付面４ａからの距離を変えて第１・第２・第３の係止受面４５Ａ，４５Ｂ，４５Ｃの台座取付面４ａからの距離Ｓ１，Ｓ３，Ｓ２を変えているので、一側台座４を軽量とすることが可能である。
つまり、第１・第２・第３プレート４７Ａ，４７Ｂ，４７Ｃの厚さを変えることで第１・第２・第３の係止受面４５Ａ，４５Ｂ，４５Ｃの台座取付面４ａからの距離Ｓ１，Ｓ３，Ｓ２を変えることができるが、このようにすると一側台座４が重くなってしまう。
【００２１】
一側台座４は次のようにすることができる。
内側筒体４６と外側筒体４８とを同じ厚さの円板状のプレート４７で一体に連結し、そのプレート４７に連結用孔４１を複数形成し、小径孔４４の周縁における取付台座４ａと反対側面に係止鍔５３が入り込む溝を形成し、その溝の底面を係止受面４５とする。
そして、溝の深さを変えることで、係止受面４５の台座取付面４ａからの距離を変える。
【００２２】
他側台座５は、中心孔５０を有した円板状の本体５６に一対の連結柱５１を設けてある。
連結柱５１の小径部５５と係止鍔５３はねじ５７で、そのねじ軸部５７ａが小径部５５、頭部５７ｂが係止鍔５３である。
そして、ねじ軸部５７ａが基部柱５４のねじ孔５４ａに螺合してある。
【００２３】
このように、基部柱５４にねじ５７を螺合して連結柱５１としたことにより、そのねじ５７を締め付けたり、弛めたりすることでねじ５７の頭部５７ｂである係止鍔５３の台座取付面５ａからの距離を調整できるから、扉１の厚さに合わせた特定の対応範囲を持ち、厚さが微少に異なる扉１に取り付けできる。
また、経年変化等で一側台座４の台座取付面４ａ、他側台座５の台座取付面５ａと扉１の一側面１０、他側面１１との間に隙間が生じてガタつくようになった場合には、工具を用いてねじ５７を締め付けることで各台座取付面４ａ，５ａを扉１の一側面１０、他側面１１に押しつけてガタつくことがないようにできる。
【００２４】
連結柱５１は基部柱５４と小径部５５と係止鍔５３を一体としても良い。
また、連結柱５１は小径部５５を備えずに、基部柱５４の先端に係止鍔５３を有した形状としても良い。
また、連結柱５１は一対に限ることはなく、３本以上設けても良く、その場合には１つのパターンの連結用孔４１は３つ以上で、連結柱５１の本数と同じ数とする。
【００２５】
一側台座４の外周壁部４２及び他側台座５の外周壁部５２にはカバー４９，５７をそれぞれ着脱自在に嵌合して取り付けてある。
【００２６】
他側ハンドル２２の軸部２３には角軸２４が連結してある。この角軸２４を扉１内に設けた錠１２を貫通して一側ハンドル２０の軸部２１の角孔２５に嵌合して止めビスで固定してある。
【００２７】
操作部材はハンドル２に限ることはなく、引手、錠などでも良い。
例えば、図７に示すように一側台座４の中心孔４０に、摘みを備えた回転子２６を回転自在に挿入して扉１内の錠１２と連結し、他側台座５の中心孔５０にキーで回転される回転子２７を回転自在に挿入して扉１内の錠１２と連結したサムターンとすることができる。
【００２８】
一側台座４は樹脂製、例えば樹脂材を用いた射出成形品で、他側台座５はアルミ製又は樹脂製であるが、これに限ることはなく、任意の材料で製作することが可能である。
また、開閉体は扉に限ることはなく、障子、引戸、ドアなどでも良いことは勿論である。
【符号の説明】
【００２９】
１…扉（開閉体）、２…ハンドル（操作部材）、３…操作部材取付用座、４…一側台座、４ａ…台座取付面、５…他側台座、５ａ…台座取付面、１０…一側面、１１…他側面、２１…軸部、２３…軸部、４０…中心孔、４１…連結用孔、４２…外周壁部、４５…係止受面、４６…内側筒体、４７…プレート、４８…外側筒体、５０…中心孔、５１…連結柱、５３…係止鍔、５４…基部柱、５７…ねじ、５７ｂ…頭部（係止鍔）。
【図１】
2014201989.tif 000003
【図２】
2014201989.tif 000004
【図３】
2014201989.tif 000005
【図４】
2014201989.tif 000006
【図５】
2014201989.tif 000007
【図６】
2014201989.tif 000008
【図７】
2014201989.tif 000009